(57)【要約】【課題】余分な昇降路寸法を必要とせず、乗りかご内から制御盤の保守作業を効率良く行い得るエレベータ装置を提案する。【解決手段】昇降路内を昇降する乗りかごと、昇降路の内壁に設置される制御盤とを備えるエレベータ装置において、乗りかごの側面のうち、制御盤に対向する側面は、上面側板及び下面側板から構成され、上下に分割可能であり、通常時には、上面側板及び下面側板は互いに接続されて乗りかごの側面を形成し、制御盤の保守作業時には、下面側板が制御盤方向に傾倒して水平位置で固定されることを特徴とする。【選択図】図３
2016155618.tif 000002
【特許請求の範囲】
【請求項１】
昇降路内を昇降する乗りかごと、前記昇降路の内壁に設置される制御盤とを備えるエレベータ装置において、
前記乗りかごの側面のうち、前記制御盤に対向する側面は、上面側板及び下面側板から構成され、上下に分割可能であり、通常時には、前記上面側板及び前記下面側板は互いに接続されて前記乗りかごの側面を形成し、前記制御盤の保守作業時には、前記下面側板が前記制御盤方向に傾倒して水平位置で固定される
ことを特徴とするエレベータ装置。
【請求項２】
前記上面側板は、
前記保守作業時には、前記乗りかごの内部方向に傾斜し、傾斜した状態を維持するための固定部により固定される
ことを特徴とする請求項１に記載のエレベータ装置。
【請求項３】
前記下面側板は、
前記保守作業時には、前記制御盤方向に傾倒して水平位置で固定されるとともに、水平位置を維持するための補強部材により補強される
ことを特徴とする請求項２に記載のエレベータ装置。
【請求項４】
前記補強部材は、
一端が前記乗りかごの下部に接続され、
他端がばねを介して前記下面側板の裏面に接続され、
前記保守作業時には、水平位置で固定された前記下面側板を下側から押圧して補強する
ことを特徴とする請求項３に記載のエレベータ装置。
【請求項５】
前記保守作業時には、水平位置で固定された前記下面側板の上部に手すりを備える
ことを特徴とする請求項４に記載のエレベータ装置。
【発明の詳細な説明】
【技術分野】
【０００１】
本発明は、エレベータ装置に関し、特に制御盤が昇降路内に設置されたエレベータ装置に適用して好適なものである。
【背景技術】
【０００２】
特許文献１には、制御盤が昇降路内に設置されたエレベータ装置において、制御盤の保守作業を乗りかご内から効率良く実施することができるエレベータ装置が開示されている。
【０００３】
具体的には、制御盤と対向する乗りかご側面に形成された開口部と、開口部を開閉する開閉扉と、開口部の周囲を囲むように乗りかごに設置され、かつ、乗りかご側面から制御盤に向かって突出するように設置され、開閉扉を開放することにより乗りかご側面の外側に作業場を形成する囲い壁とを備えるエレベータ装置が開示されている。
【０００４】
また特許文献２には、昇降路内機器の点検を容易に行えると同時に乗りかご側制御ボックスの保守点検や改造を乗りかご内から容易に行えるエレベータ装置が開示されている。具体的には、制御盤と対向する乗りかご側面に開閉可能な点検扉を設置するとともに、ドアの開閉制御を行う装置や制御盤と通信して運転制御を行う装置を点検扉に実装したかご側制御ボックスを備えるエレベータ装置が開示されている。
【先行技術文献】
【特許文献】
【０００５】
【特許文献１】特開２００８−１９５５２３号公報
【特許文献２】特開２００９−１９６７８４号公報
【発明の概要】
【発明が解決しようとする課題】
【０００６】
しかし特許文献１に記載の技術では、作業場となる囲い壁が乗りかご側面から突出するように常時設置されているため、余分な昇降路寸法が必要になるという課題がある。また特許文献２に記載の技術では、点検用の足場が全くなく、乗りかご内から制御盤までの距離が離れてしまうため、保守作業の効率が低下するという課題がある。
【０００７】
本発明は以上の点を考慮してなされたもので、余分な昇降路寸法を必要とせず、乗りかご内から制御盤の保守作業を効率良く行い得るエレベータ装置を提案する。
【課題を解決するための手段】
【０００８】
かかる課題を解決するために、本発明においては、昇降路内を昇降する乗りかごと、昇降路の内壁に設置される制御盤とを備えるエレベータ装置において、乗りかごの側面のうち、制御盤に対向する側面は、上面側板及び下面側板から構成され、上下に分割可能であり、通常時には、上面側板及び下面側板は互いに接続されて乗りかごの側面を形成し、制御盤の保守作業時には、下面側板が制御盤方向に傾倒して水平位置で固定される。
【発明の効果】
【０００９】
本発明によれば、余分な昇降路寸法を必要とせず、乗りかご内から制御盤の保守作業を容易に行うことができる。
【図面の簡単な説明】
【００１０】
【図１】エレベータ装置の上面構成図である。
【図２】乗りかご内部から見た乗りかごの側面構成図である。
【図３】乗りかご外部から見た乗りかごの側面構成図である。
【図４】下面側板及び補強部材の拡大構成図である。
【発明を実施するための形態】
【００１１】
以下図面について、本発明の一実施の形態を詳述する。
【００１２】
図１は、本実施の形態におけるエレベータ装置１の上面構成を示す。エレベータ装置１は、機械室のない機械室レスのエレベータ装置であり、昇降路１０内に乗りかご２０及び制御盤３０等を備えて構成される。乗りかご２０は、ここでは図示しないメインロープ、釣合い重り及び巻上機等の部材により、昇降路１０内を上下に昇降する。
【００１３】
制御盤３０は、昇降路１０内の内壁に設置される。制御盤３０の保守作業を行う場合、制御盤３０と対向する位置に乗りかご２０を移動させて停止させる。
【００１４】
図２は、乗りかご２０内部から図１の矢印Ａ方向を見たときの乗りかご２０の側面構成を示す。乗りかご２０の側面は複数の側面側板４０から構成される。このうち中央部に設置される側面側板４０は、上面側板４１及び下面側板４２の２枚の側板から構成される。上面側板４１と下面側板４２とは、後述するように乗りかご２０内から上下に分割可能に構成される。
【００１５】
キースイッチ５０は、上面側板４１及び下面側板４２が保守作業時以外の通常時に上下に分割することを防止するためのスイッチであり、上面側板４１及び下面側板４２を接続する。
【００１６】
図３は、乗りかご２０外部から乗りかご２０を見たときの乗りかご２０の側面構成を示す。上面側板４１及び下面側板４２は、上述したように分割可能に構成され、上面側板４１は乗りかご２０の内部方向に開き、下面側板４２は乗りかご２０の外部方向に開くように構成される。
【００１７】
より詳細には、上面側板４１は、一端が乗りかご２０に接続されており、この接続箇所を中心にして他端が反時計回りに一定距離だけ回転する。回転後は固定具６０により固定される。
【００１８】
固定具６０は、一端が乗りかご２０の天井に接続され、他端が上面側板４１に接続されることにより、保守作業の妨げにならないように分割後の上面側板４１を固定する。接続手段としては例えばボルトが用いられる。
【００１９】
また下面側板４２は、一端が乗りかごに接続されており、この接続箇所を中心にして他端が時計回りに一定距離だけ回転する。乗りかご２０の床面と略平行の位置（水平位置）まで回転すると、接続箇所である一端が固定されるとともに、補強部材７０により補強される。
【００２０】
ここで図４を参照して、補強部材７０について説明する。補強部材７０は、保守作業時以外の通常時（分割前）においては、一端が乗りかご２０の下部に接続されており、また他端も下面側板４２の裏面に接続されている。
【００２１】
下面側板４２の裏面に接続される補強部材７０の端部には、ばね７１が備えられている。この分割前の下面側板４２を矢印Ｂ方向から見ると、図４の「側面側板分割前」のようにばね７１は伸びた状態となっている。
【００２２】
保守作業時において下面側板４２を外部方向に回転させると、ばね７１は次第に縮んでいく。下面側板４２を水平位置まで回転させた状態において下面側板４２を矢印Ｂ方向から見ると、図４の「側面側板分割後」のようにばね７１は縮んだ状態となる。
【００２３】
この縮んだばね７１の押圧力によって、補強部材７０は下面側板４２を下側から押圧して補強し、下面側板４２に作業員が乗っても水平位置を維持することができる。
【００２４】
図３に戻り、手すり８０は、安全性確保のため、保守作業時に下面側板４２の上部に設置される。手すり８０は、ここでは後付けで設置されるとしたが、保守作業時以外の通常時には下面側板４２の内部に収納され、保守作業時に下面側板４２の内部から引き出して設置されるとしてもよい。
【００２５】
なお下面側板４２を保守作業時の足場とすると、傷や汚れが付く場合があるため、実際に保守作業を行う場合には下面側板４２の上面にベニヤ板や保護マットを載置することが望ましい。
【００２６】
以上のように本実施の形態によるエレベータ装置によれば、乗りかご２０の側面側板４０のうち、制御盤３０に対向する側面側板４０を上下に分割可能な構成にした。そして通常時には分割せず、保守作業時に限って側面側板４０を上面側板４１と下面側板４２とに分割するようにした。より詳細には、上面側板４１は内部方向に傾斜させて乗りかご２０の天井近傍で固定具６０により固定し、下面側板４２は外部方向に倒して水平位置で固定及び補強部材７０により補強するようにした。以上により、余分な昇降路寸法を必要とせず、乗りかご内から制御盤の保守作業を効率良く行うことができる。
【符号の説明】
【００２７】
１    エレベータ装置
１０  昇降路
２０  乗りかご
３０  制御盤
４０  側面側板
４１  上面側板
４２  下面側板
５０  キースイッチ
６０  固定具
７０  補強部材
７１  ばね
８０  手すり
【図１】
2016155618.tif 000003
【図２】
2016155618.tif 000004
【図３】
2016155618.tif 000005
【図４】
2016155618.tif 000006